(57)【要約】【課題】従来の在宅ヘルスケアシステムでは、健康端末装置のソフトウェアが更新されるときに、健康端末装置に蓄積されている患者データも更新ソフトウェアに合わせて加工する必要があり、加工に必要なデータも同時にダウンロードさせる必要がある問題があった。【解決手段】本発明の在宅ヘルスケアシステムでは、健康管理端末のソフトウェアを更新するときに、健康端末装置に蓄積されている患者データを、ソフト更新サーバーへアップロードしてソフト更新サーバーにて加工、加工後に健康管理端末装置へダウンロードする。これによって患者データの加工に必要なデータをすべて健康端末装置へいったんダウンロードさせる必要もなく、健康端末装置に無用な負荷を増やすことを防ぐことができる。【選択図】図１
2008158722.tif 000002
【特許請求の範囲】
【請求項１】
患者が測定した生体情報をネットワークを介して管理手段へ送信可能で、かつ医師からのアドバイス情報を受信できる健康端末装置と、前記生体情報を前記管理手段より取得して閲覧可能とし、かつ患者へのアドバイス情報を送信することができる医師が使用する医師端末と、前記健康端末装置のソフトを更新するためのソフト更新手段を備え、前記管理手段は患者の生体情報を蓄積するデータベース手段と前記データベース手段に前記健康端末装置からの生体情報の蓄積制御をする情報制御手段とを有し、前記ソフト更新手段は前記健康端末装置との通信を制御することでソフトウェアアップデートをおこなうソフトアップデート更新手段と前記健康端末装置から送信された前記生体情報のデータを更新ソフトウェアに合わせて加工して前記健康端末装置に返送するデータ変換手段とを有することを特徴とする在宅ヘルスケアシステム。
【請求項２】
前記健康端末装置と前記ソフト更新手段との通信内容を圧縮する請求項１記載の在宅ヘルスケアシステム。
【請求項３】
前記健康端末装置と前記ソフト更新サーバーとの通信内容を暗号化する請求項１または２記載の在宅ヘルスケアシステム。
【請求項４】
前記データベース手段がクラスタリングにより構成された請求項１から３のいずれか1項記載の在宅ヘルスケアシステム。
【請求項５】
請求項１から４のいずれか１項記載の在宅ヘルスケアシステムの手段の少なくとも一部をコンピューターに実行させるためのプログラム。
【発明の詳細な説明】
【技術分野】
【０００１】
本発明は、医師や看護師などの医療関係者と、在宅あるいは医療機関内の患者との間で医療情報や生体情報の交信を行うことができる健康診断ネットワークシステムに関するものである。
【背景技術】
【０００２】
従来の在宅ヘルスケアシステムは、各家庭に設置された健康端末装置へ体温計、血糖計などの各種センサにより測定したデータを転送することで、データセンターなどに設置されたデータベースサーバーへ蓄積する。同時にＷｅｂサーバーを設置して、患者宅から離れた医師はインターネット網を経由して病院にてＩｎｔｅｒｎｅｔＥｘｐｌｏｒｅｒなどのブラウザによりデータベースサーバーに蓄積された患者データをチェックできるようにしてある。これによって患者の通院なしに、適切なアドバイスを患者へ与えたり、遠隔診療をおこなうことができる（特許文献１）。データベースサーバーには患者を特定するための年齢・性別・住所・電話番号といった個人特定情報と共に、患者の生体情報データなどの病状などの個人生体情報が蓄積される（特許文献２）。
【特許文献１】特開２００２−８３０６６号公報
【特許文献２】特開平７−１４１４５１号公報
【発明の開示】
【発明が解決しようとする課題】
【０００３】
しかしながら、従来の在宅ヘルスケアシステムでは健康端末装置のソフトウェアが更新されるときに、健康端末装置に蓄積されている患者データも更新ソフトウェアに合わせて加工する必要があり、加工に必要なデータも同時にダウンロードさせる必要がある問題があった。
【０００４】
本発明は、健康管理端末のソフトウェア更新するときに、健康端末装置に蓄積されている患者データを、ソフト更新サーバーへアップロードさせてソフト更新サーバーにて加工、加工後に健康管理端末装置へダウンロードさせる。これによって患者データの加工に必要なデータをすべて健康端末装置へいったんダウンロードさせる必要もなく、健康端末装置に無用な負荷を増やすことを防ぐのを目的とする。
【課題を解決するための手段】
【０００５】
本発明の在宅ヘルスケアシステムは、患者が測定した生体情報をネットワークを介して管理手段へ送信可能で、かつ医師からのアドバイス情報を受信できる健康端末装置と、前記生体情報を前記管理手段より取得して閲覧可能とし、かつ患者へのアドバイス情報を送信することができる医師が使用する医師端末と、前記健康端末装置のソフトを更新するためのソフト更新手段を備え、前記管理手段は患者の生体情報を蓄積するデータベース手段と前記データベース手段に前記健康端末装置からの生体情報の蓄積制御をする情報制御手段とを有し、前記ソフト更新手段は前記健康端末装置との通信を制御することでソフトウェアアップデートをおこなうソフトアップデート更新手段と前記健康端末装置から送信された前記生体情報のデータを更新ソフトウェアに合わせて加工して前記健康端末装置に返送するデータ変換手段とを有する。
【０００６】
この構成により、健康管理端末のソフトウェア更新するときに、健康端末装置に蓄積されている患者データを、ソフト更新サーバーへアップロードさせてソフト更新サーバーにて加工、加工後に健康管理端末装置へダウンロードさせる。これによって患者データの加工に必要なデータをすべて健康端末装置へいったんダウンロードさせる必要もなく、健康端末装置に無用な負荷を増やすことを防ぐことができる。
【０００７】
本発明の在宅ヘルスケアシステムは、さらに前記健康端末装置と前記ソフト更新手段との通信内容を圧縮する手段を有する。
【０００８】
この構成により、健康端末装置とソフト更新サーバーとの通信量が減少するので、ソフト更新に必要な時間を短縮することができる。
【０００９】
本発明の在宅ヘルスケアシステムは、さらに前記健康端末装置と前記ソフト更新サーバーとの通信内容を暗号化する。
【００１０】
この構成により、セキュリティ性能を向上させることができる。
【００１１】
本発明の在宅ヘルスケアシステムは、さらに前記データベース手段がクラスタリングにより構成されている。
【００１２】
この構成により、機器などのトラブル時による患者の生体情報の損傷を防ぐことができる。
【００１３】
本発明のプログラムは、請求項１ないし４のいずれか１項記載の在宅ヘルスケアシステムの手段の少なくとも一部をコンピューターに実行させるためのプログラムである。
【００１４】
この構成により、ＣＰＵ（マイコン）、ＲＡＭ、ＲＯＭ、記憶装置、Ｉ／Ｏなどを備えた電気情報機器、コンピューター、サーバー等のハードリソースを協働させて、本発明の健康端末装置の一部あるいは全てを容易に実現することができる。また記録媒体に記録したり通信回線を用いてプログラムを配信したりすることでプログラムの配布やインストール作業が簡単にできる。
【発明の効果】
【００１５】
本発明は、患者が測定した体温、血糖値などの生体情報を管理サーバーへ送信すると共に、医師からのアドバイス情報を受信する健康端末装置と、患者が測定した生体情報を管理サーバーより取得して閲覧すると共に、患者へアドバイス情報を送信するために医師が使用する医師端末と、各患者の測定データなどの生体情報を蓄積されたデータベース手段と、前記データベース手段に前記健康端末装置からの生体情報の蓄積制御をする情報制御手段と、前記健康端末装置との通信を制御することでソフトウェアアップデートをおこなうソフト更新手段と、前記健康端末装置から送信されたデータを更新ソフトウェアに合わせて加工して返送するデータ変換手段と、前記通信インタフェース手段と前記特定情報アクセス手段と前記生体情報アクセス手段を制御することで前記医師端末に患者情報を表示させる情報制御手段とで構成されている。この構成により、健康管理端末のソフトウェア更新するときに、健康端末装置に蓄積されている患者データを、ソフト更新サーバーへアップロードさせてソフト更新サーバーにて加工、加工後に健康管理端末装置へダウンロードさせる。これによって患者データの加工に必要なデータをすべて健康端末装置へいったんダウンロードさせる必要もなく、健康端末装置に無用な負荷を増やすことを防ぐことができる。
【発明を実施するための最良の形態】
【００１６】
以下、本発明の実施の形態の在宅ヘルスケアシステムについて、図面を用いて説明する。
【００１７】
（第１の実施の形態）
本発明の第１の実施の形態における在宅ヘルスケアシステムの構成図を図１に示す。
【００１８】
図１において、健康端末装置１０１は患者が測定した体温、血糖値などの生体情報を管理手段である管理サーバー１０２へ送信すると共に、医師からのアドバイス情報を受信する。管理サーバー１０２は、情報制御手段１１１とデータベース手段１１２から構成される。医師端末１０３は患者が測定した生体情報を管理サーバー１０２より取得して閲覧すると共に、患者へアドバイス情報を送信するために医師が使用する。
【００１９】
インターネット網１０４は健康端末装置１０１と医師端末１０３が管理サーバー１０２及びソフト更新手段である更新サーバー１０６と通信する。ファイアウォール１０５は管理サーバー１０２とソフト更新サーバー１０６を悪意のある者から防御するためのセキュリティ機器である。ソフト更新サーバー１０６はソフト更手段１１３とデータ変換手段１１４から構成される。情報制御手段１１１はデータベース手段１１２に健康端末装置１０１からの生体情報の蓄積制御をする。
【００２０】
データベース手段１１２は各患者の測定データなどの生体情報を蓄積される。ソフト交信手段１１３は健康端末装置１０１との通信を制御することでソフトウェアアップデートをおこなう。データ変換手段１１４は健康端末装置１０１から送信されたデータを更新ソフトウェアに合わせて加工して返送する。
【００２１】
以上のように構成された在宅ヘルスケアシステムについて、本発明の動作を詳細に説明する。
【００２２】
健康端末装置１０１は患者が自宅で入力した生体情報をインターネット網１０４を介して、管理サーバー１０２へ送信する。管理サーバー１０２の情報制御手段１１１はこれを受信してデータベース手段１１２に蓄積をする。
【００２３】
なおデータベース手段１１２はクラスタリングによって複数のデータベースを互いに補完しあうように構成することで、一方のデーベースが障害を受けても、もう一方のデータベースによりデータの保護とシステム運用を継続させることで、蓄積されているデータの信頼性を向上させても良い。
【００２４】
また医者は医師端末１０３を使用してインターネット網１０４を経由してデータベース手段１１２に蓄積された患者データを遠隔にて閲覧することで、患者が病院に行かずに日々の健康管理状態を医師は知ることができ治療に生かすことができる。もし医師が食事内容などの健康アドバイスや通院指示をしたい場合には、医師端末１０３を使用することでデータベース手段１１２へ書き込みを行い。健康端末装置１０１は情報制御手段１１１を介してその書き込みを受信、患者はそのアドバイス情報を入手することができる。
【００２５】
このようなシステムでは日々ソフトウェアの更新やバグ修正がおこなわれるが、この手順はこれまでは、健康端末装置１０１がソフト更新サーバー１０６から所定のソフトウェアアップデートファイルと、健康端末装置１０１に蓄積されている患者データをアップデート後のソフトウェアで使用できるように加工するのに必要な情報をダウンロードさせ、患者データの加工処理は健康端末装置１０１でおこなわせていた。
【００２６】
しかしながら本システムでは従来のやり方ではなく、ソフト更新時にはソフトウェアアップデートファイルのみダウンロードさせる。次に健康端末装置１０１は蓄積されている患者データをソフト更新サーバー１０６へ送信する。そのときデータ転送時間を短縮するためにデータ圧縮をかけ、さらに転送中に第３者により患者データが盗聴されないように暗号化も施す。その後、ソフト更新サーバー１０６にて転送されたデータを圧縮展開及び復号化をおこない、ソフト更新サーバー１０６にてアップデート後のソフトウェアで使用できるように加工して、健康端末装置１０１へ送信する。このソフト更新手順について図２、図３を用いて説明をする。
【００２７】
図２は本発明の第１の実施の形態における通信シーケンス図である。
【００２８】
更新ソフトウェア２０１は健康端末装置１０１のソフトウェアをアップグレードする。患者データ２０２は健康端末装置１０１に蓄積されている。加工済み患者データ２０３は健康端末装置１０１から送信された患者データ２０２をソフト更新サーバー１０６のデータ加工手段１１４で加工処理３０１される。加工処理３０１はソフト更新サーバー１０６データ加工主担１１４でおこなわれる。
【００２９】
また図３は本発明の第1の実施の形態における患者データとセンサ番号内容を示す図である。図３（Ａ）はアップグレード前の患者データ内容を示す図、図３（Ｂ）はアップグレード後の患者データ内容を示す図、図３（Ｃ）はアップグレード前のセンサ番号データ内容を示す図、図３（Ｄ）はアップグレード後のセンサ番号データ内容、図３（Ｅ）センサ割り当ての変換テーブル図である。
【００３０】
図３（Ａ）と図３（Ｂ）には患者が測定で用いた各センサに割り当てられているセンサ番号、測定値と測定日時が記されている。ここでは健康端末装置１０１のソフトウェアをアップグレードさせることで痛みセンサを新たに追加対応する例を用いて説明をする。新規追加される痛みセンサはセンサ番号３を割り当てるとする。そしてセンサ番号３を割り当てられている体重計はセンサ番号４に、センサ番号４であったＳｐＯ２はセンサ番号５に変更されるとする。
【００３１】
ソフトウェアアップグレード時、健康端末装置１０１は更新ソフトウェア２０１をソフト更新サーバー１０６のソフト更新手段１１３からダウンロードする。ソフトウェアの更新が健康端末装置１０１でなされた後に、蓄積されている患者データ２０２をソフト更新サーバー１０６のデータ加工手段１１４へ送信する。例えば今回のソフトウェア更新で新規に痛みセンサ対応を追加した。そしてそのセンサ番号は従来体重計に割り当ててある３番を使用して、体重計のセンサ番号を４番に変更する必要があるとする。そのため図３（Ａ）のような患者データを蓄積しているならば、図３（Ｂ）のようにセンサ番号の割り当て修正をする必要がある。これをデータ加工手段１１４は図３（Ｃ）から図３（Ｄ）のセンサ割り当てにするために図３（Ｅ）の変換テーブルを使用する。図３（Ｅ）にあるように患者データ２０２の体重の測定値のセンサ番号３を４に変更する。患者データ２０２には血中酸素飽和濃度（以下ＳｐＯ２）の測定値が存在しないのでＳｐＯ２のセンサテーブルは必要がない。その後加工済み患者データ２０３を健康端末装置１０１へ送信してソフトウェアアップグレードの一連の処理が完了する。
【００３２】
このような本発明の実施の形態の在宅ヘルスケアシステムによれば、患者データの加工に必要なデータをすべて健康端末装置へいったんダウンロードさせる必要もなく、健康端末装置に無用な負荷を増やすことを防ぐことができる。
【産業上の利用可能性】
【００３３】
以上のように、本発明にかかる在宅ヘルスケアシステムは、健康管理端末のソフトウェア更新するときに、健康端末装置に蓄積されている患者データを、ソフト更新サーバーへアップロードさせてソフト更新サーバーにて加工、加工後に健康管理端末装置へダウンロードさせる。これによって患者データの加工に必要なデータをすべて健康端末装置へいったんダウンロードさせる必要もなく、健康端末装置に無用な負荷を増やすことを防ぐことができる。
【図面の簡単な説明】
【００３４】
【図１】本発明の第１の実施の形態における在宅ヘルスケアシステムの構成図
【図２】本発明の第１の実施の形態における通信シーケンス図
【図３】（Ａ）本発明の第１の実施の形態におけるアップグレード前の患者データ内容を示す図、（Ｂ）本発明の第１の実施の形態におけるアップグレード後の患者データ内容を示す図、（Ｃ）本発明の第１の実施の形態におけるアップグレード前のセンサ番号データ内容を示す図、（Ｄ）本発明の第１の実施の形態におけるアップグレード後のセンサ番号データ内容を示す図、（Ｅ）本発明の第1の実施の形態におけるセンサ割り当ての変換テーブル図
【符号の説明】
【００３５】
１０１    健康端末装置
１０２    管理サーバー
１０３    医師端末
１０４    インターネット網
１０５    ファイアウォール
１０６    ソフト更新サーバー
１０７    メンテナンス端末
１０８    データベース手段
１１１    情報制御手段
１１２    データベース手段
１１３    ソフト更新手段
１１４    データ変換手段
【図１】
2008158722.tif 000003
【図２】
2008158722.tif 000004
【図３】
2008158722.tif 000005